(57)【要約】【課題】  携帯電話やデジタルカメラの外部記憶媒体であるメモリーカードを、複数枚同時に管理する。【解決手段】  フォルダー本体ｈ１，ｈ２は仕切り板３，４の両面に、その仕切り板を境に区画されたカード収納部３ａ〜４ｂを備え、それらカード収納部３ａ〜４ｂは、収納するメモリーカードの端子部分を外部に露出させる端子露出部１２，１３を設けるとともに、この端子露出部とは反対側にカードを挿入する挿入口１０，１１を設けている。【選択図】  図３
2005190306.tif 000002
【特許請求の範囲】
【請求項１】
フォルダー本体は仕切り板の両面に、その仕切り板を境に区画されたカード収納部を備え、それらカード収納部は、収納するメモリーカードの端子部分を外部に露出させる端子露出部を設けるとともに、この端子露出部とは反対側にカードを挿入する挿入口を設けたメモリーカードのフォルダー。
【請求項２】
カード収納部を備えた仕切り板を複数枚備えるとともに、挿入口側の仕切り板を連接して、各仕切り板に設けたカード収納部を重ね合わせ可能にした請求項１記載のメモリーカードのフォルダー
【請求項３】
上記複数の仕切り板を連接して、その仕切り板をそれらの境界部分から折り曲げて各仕切り板に設けたカード収納部を重ね合わせ可能にするとともに、それらの重ね合わせ状態を維持するストッパー機構を備えた請求項２記載のメモリーカードのフォルダー。
【請求項４】
仕切り板であって、カード収納部の挿入口部分に、挿入したカードが脱出するのを防止する脱出防止用突部を設けた請求項１〜３のいずれかに記載のメモリーカードのフォルダー。
【発明の詳細な説明】
【技術分野】
【０００１】
この発明は、携帯電話やデジタルカメラ等に用いる小型メモリーカードを収納するためのフォルダーに関する。
【背景技術】
【０００２】
近年、携帯電話、デジタルカメラ等の外部記憶媒体として小型のメモリーカードが普及しているが、これら小型メモリーカードとして、例えば、ミニＳＤカード、スマートメディア、メモリースティック、マルチメディアカードあるいはｘＤメモリーカード等がある。このような小型のメモリーカードを収納するためのフォルダーは、今までほとんどなく、あったとしてもメモリーカードを一枚一枚個別に収納するものであった。
ところが、小型メモリーカードはまさに小型なのでその記憶容量がきわめて小さい。そのために、例えば、情報量の多い動画映像などを記憶させようとすると、それこそ何枚ものメモリーカードが必要となるというのが現状である。
【０００３】
なお、メモリーカードを収納するフォルダーに関しては、特に先行技術文献調査をしていない。
【発明の開示】
【発明が解決しようとする課題】
【０００４】
上記のような状況の中で、それぞれのメモリーカードを一枚一枚個別に収納していたのでは、その管理が非常に面倒になる。例えば、上記したように動画映像を記憶させる場合には、それら動画映像のストーリーが終了するまでに、何枚ものメモリーカードが必要になるが、上記のように各カードを個別に管理していたのでは、ストーリーを連続させるためのメモリーカードの順番さえも分からなくなってしまう。
また、複数のメモリーカードにストーリー性あるいは連続性がなくても、複数のメモリーカードを一括して管理したい場合、例えば、自分の好みや一定の目的に応じて選択したメモリーカードを一括管理したい場合にも、それぞれのメモリーカードがバラバラになっていたのでは、その管理が煩雑になってしまう。
【０００５】
さらに、カードが非常に小さいために、そのカードに何が記憶されているかを表示するラベルなどをカードに直接貼ることができない。そのために、カードに記憶させたコンテンツ等の内容が分からなくなってしまうという問題もあった。
この発明の目的は、複数枚のメモリーカードを同時に収納できるようにして、メモリーカードを一括管理できるとともに、カードに記憶されているコンテンツの内容表示も簡単なメモリーカードのフォルダーを提供することである。
【課題を解決するための手段】
【０００６】
第１の発明は、フォルダー本体は仕切り板の両面に、その仕切り板を境に区画されたカード収納部を備え、それらカード収納部は、収納するメモリーカードの端子部分を外部に露出させる端子露出部を設けるとともに、この端子露出部とは反対側にカードを挿入する挿入口を設けた点に特徴を有する。
【発明の効果】
【０００７】
第１の発明によれば、仕切り板の両面にカード収納部を設けたので、少なくとも２枚のカードを同時に管理することができる。したがって、それら２枚のカードを一括して収納でき、それだけ管理も簡単になる。
また、カード収納部にラベル等を貼っておけば、そのカードに記憶させたコンテンツ等の内容が分からなくなるような問題を解消できる。
さらに、カード収納部に端子露出部を設けたので、カード収納部にカードを入れたまま当該カードの情報を読みとる対象機器に接続することができる。このようにすることによって、その対象機器がメモリーカードに記憶されている情報を直接読みとることができるし、そのカードに新たな内容を書き込むこともできる。
【０００８】
第２の発明によれば、何枚ものメモリーカードを一括管理できるので、各メモリーカードをバラバラに管理するよりも管理が簡単になる。また、シリーズになっているメモリーカードを、一括管理すれば、それらの順番を間違えたり、あるいはシリーズの一部が欠落したりする問題を解決できる。
【０００９】
第３の発明によれば、複数のカード収納部を、それらを重ね合わせた状態で保持できるので、全体をコンパクトにすることができる。また、それらを重ね合わせた状態で、対象機器に接続可能にすれば、それら複数のメモリーカードを一体として対象機器に接続することも可能になる。
第４の発明によれば、カード収納部に収納したカードが不用意に脱出したりしなくなるので、安心して携帯できる。
【発明を実施するための最良の形態】
【００１０】
図１〜図４はこの発明の最良の実施形態を示すもので、図５は携帯電話やデジタルカメラの等に用いられるミニＳＤカードであるメモリーカード１を示すものである。
上記メモリーカード１は、その一方の側に端子２を設け、この端子２を携帯電話やデジタルカメラ等の対象機器に接続して利用するものである。
【００１１】
図１〜図４に示したフォルダーｈ１，ｈ２は、２枚の仕切り板３，４を、連接部５を介して折り曲げ可能にしたもので、それら仕切り板３，４の両面には、カード収納部３ａ，３ｂおよび４ａ，４ｂを設けている。言い換えると、図３に示すように、１枚の仕切り板の裏表に各１つずつ合計２つのカード収納部を設けたものである。
【００１２】
上記カード収納部３ａ，３ｂ，４ａ，４ｂのそれぞれは同一の形態にしているので、以下には、同一形態部分に共通の符号を付して説明する。
上記カード収納部３ａ，３ｂ，４ａ，４ｂは、一対の側壁６，７間に上記仕切り板３，４を設けているが、この側壁６，７は、仕切り板３，４の裏表に設けた各カード収納部３ａ，３ｂ，４ａ，４ｂの側壁として機能する。このようにした側壁６，７間を天板８，９でふさいで上記カード収納部３ａ，３ｂ，４ａ，４ｂを構成している。
【００１３】
上記のようにしたカード収納部３ａ，３ｂ，４ａ，４ｂは、上記連接部５側に設けた挿入口１０，１１と、この挿入口１０，１１とは反対端側に設けた端子露出部１２，１３とを備えている。そして、上記挿入口１０，１１からメモリーカード１を挿入すると、その端子２が上記端子露出部１２，１３から露出するようにしている。
【００１４】
また、上記仕切り板３，４であって、挿入口１０，１１近傍に脱出防止突部１４，１５を設けている。この脱出防止突部１４，１５は、図３、図４に示すように、挿入口１０，１１にカードを挿入する方向に高くなる傾斜面からなるものである。そして、上記仕切り板３，４であって、脱出防止突部１４，１５の両側に抜き穴１６，１７を形成し、脱出防止突部１４，１５の周辺の柔軟性を確保している。言い換えると、上記のように抜き穴１６，１７を形成することによって、上記脱出防止突部１４，１５が挿入口を開く方向に弾性的に移動できるようにしている。
【００１５】
また、上記一方の仕切り板３には、３辺を切り欠いてなるストッパー片１８を形成するとともに、このストッパー片１８の先端に矢尻状の掛止め部１８ａを形成している。このようにしたストッパー片１８は、図４の二点差線で示すように、たわませることができるようにしている。
なお、図中符号１９は、ストッパー片１８の両面に形成した滑り止め突部である。
【００１６】
さらに、他方の仕切り板４には、ストッパー片１８を差し込む差込穴２０を形成するとともに、この差込穴２０の一方の縁、すなわち挿入口１０．１１側の縁に、掛止め突部２１を形成している。そして、上記ストッパー片１８、差込穴２０および掛止め突部２１，２２で、この発明のストッパー機構を構成するものである。
【００１７】
次に、この実施形態のフォルダーにメモリーカード１を挿入する場合について説明する。
メモリーカード１をカード収納部３ａ，３ｂ，４ａ，４ｂに収納するときには、原則として両フォルダー本体ｈ１，ｈ２を図２に示すように真っ直ぐにしておく。この状態で、メモリーカード１を挿入口１０，１１からカード収納部３ａ，３ｂ，４ａ，４ｂに差し入れる。そして、メモリーカード１をカード収納部３ａ，３ｂ，４ａ，４ｂの先端まで挿入することによって、そのメモリーカード１の端子２が端子露出部１２，１３から露出する。
【００１８】
なお、上記のようにメモリーカード１を挿入口１０，１１から挿入するときには、そのメモリーカード１によって脱出防止突部１４，１５を押し付けるようにする。このように脱出防止突部１４，１５を押し込めば、メモリーカード１がこの突部１４，１５を通過したとき、弾力的に元の位置に復帰する。そして、この復帰した位置において、メモリーカード１の縁に脱出防止突部１４，１５が接触して、メモリーカードの脱出が防止される。
【００１９】
上記のようにしてカード収納部３ａ，３ｂ，４ａ，４ｂにメモリーカード１を収納したら、連接部５を折り曲げてフォルダー本体ｈ1とｈ2とを図１に示すように重ね合わせるが、その重ね合わせるときに、ストッパー片１８を図４に示すように仕切り板４側に向かって撓ませつつ、その先端の掛止め部１８ａを差込穴２０内に差し込み、掛止め部１８ａを掛止め突部２１に引っ掛ける。このようにストッパー片１８の掛止め部１８ａを掛止め突部２１に引っ掛けることによって、両仕切り板３，４がしっかりと止められ、フォルダー本体ｈ１，ｈ２が重ね合わされた状態を保てることになる。
【００２０】
フォルダー本体ｈ１，ｈ２が上記のように重ね合わされた状態のまま、当該フォルダー本体ｈ１，ｈ２を対象機器に直接差し込めば、そのフォルダー本体ｈ１，ｈ２の端子露出部１２，１３から露出させたメモリーカード１の端子２を、上記対象機器の端子に接続することができる。したがって、カード収納部３ａ，３ｂ，４ａ，４ｂに収納した４枚のカードは、それらを一括管理できるとともに、最初はカード収納部３ａ，４ａが表側にくるように連接部５を折り曲げ、次に、連接部５を反対側に折り曲げてカード収納部３ｂ，４ｂが表側にくるようにして利用すれば、少なくとも４枚のメモリーカード１を例えばシリーズとして利用できる。たとえ、シリーズとしなくても、４枚のメモリーカード１を一括して管理できるので、それらをバラバラにしているときによりも、その管理が簡単にできる。
【００２１】
さらに、対象機器側においてフォルダーｈ１，ｈ２を選択できるようにしておけば、フォルダー本体ｈ１，ｈ２を上記のように重ね合わせた状態で、それを対象機器に接続するだけで、複数枚のメモリーカードを連続的に利用できることになる。
なお、フォルダー本体ｈ１，ｈ２に対して、端子が裏側になるようにメモリーカードをカード収納部３ａ，４ａに収納することによって、実質的に書き込み禁止状態にすることができる。
【００２２】
また、上記のように複数枚のメモリーカード１を一括管理できるので、メモリーカードの記憶容量が小さくても、記憶情報量を実質的に多く確保することができる。
なお、上記のように連接部５を反対側に折り曲げて、表面にでてくるメモリーカード１を変更する場合には、ストッパー片１８を差込穴２０に差し込んで、その掛止め部１８ａを掛止め突部２２に掛止めるようにする。このようにすれば、いずれのメモリーカード１を表面にした場合にも、フォルダー本体ｈ１，ｈ２を重ね合わせた状態を維持することができる。
【００２３】
また、上記のようにフォルダー本体ｈ１，ｈ２を重ね合わせて、上記ストッパー片１８、差込穴２０および掛止め突部２１，２２で構成されるストッパー機構で両者をしっかりと止めておけば、フォルダー本体ｈ１，ｈ２をクリップ代わりに利用できることになる。このようにクリップ代わり利用できるので、例えば、クリップ状にした当該フォルダーを洋服のポケットなどに挟むことができ、その携帯性がより向上することになる。
このようにクリップ状にしたフォルダーを例えば携帯電話のストラップに接続しておけば、携帯電話とメモリーカードとを対で管理できるとともに、それらを落としたりしなくなる。
【００２４】
ただし、ストッパー機構は、必ずしも上記ストッパー片１８、差込穴２０および掛止め突部２１，２２で構成しなくてもよい。要するに、フォルダー本体ｈ１，ｈ２を重ね合わせた状態に保つことができれば、特に限定されるものではない。
また、上記フォルダー本体ｈ１，ｈ２の表面に、メモリーカード１の記憶情報等の内容を表示するラベルを貼ることができる。したがって、メモリーカード１の記憶情報等のタイトルなどを忘れたりする問題も解消できる。
【００２５】
なお、上記実施形態においては、一対のフォルダー本体ｈ１，ｈ２を前提にしているが、この発明としては、それこそ本のようにして何枚ものフォルダー本体を連接することができること当然である。
【産業上の利用可能性】
【００２６】
例えば、携帯電話やデジタルカメラ等の外部記憶媒体であるメモリーカードを補完するのに最適である。
【図面の簡単な説明】
【００２７】
【図１】一対のフォルダー本体を重ね合わせた状態の拡大斜視図である。
【図２】一対のフォルダー本体を真っ直ぐに伸ばした状態の平面図である。
【図３】一対のフォルダー本体の断面図である。
【図４】ストッパー機構を示す部分拡大断面図である。
【図５】メモリーカードを示す平面図である。
【符号の説明】
【００２８】
ｈ１，ｈ２            フォルダー本体
３，４              仕切り板
３ａ〜４ｂ          カード収納部
１０，１１          挿入口
１２，１３          端子露出部
１４，１５          脱出防止突部
１８                ストッパー機構を構成するストッパー片
２０                ストッパー機構を構成する差込穴
２１，２２          ストッパー機構を構成する掛止め突部
【図１】
2005190306.tif 000003
【図２】
2005190306.tif 000004
【図３】
2005190306.tif 000005
【図４】
2005190306.tif 000006
【図５】
2005190306.tif 000007